(57)【特許請求の範囲】
【請求項１】
扇型で、熱可塑性合成樹脂製材で形成され、前記扇型の内周部に表面が綿素材からなるへりが取りつけられてなり、前記扇型の一の端部を他の端部に接合することで患者の首の周りに笠状に取り付けることができ、
前記扇型に後面に２つ、前面に２つの取っ手をつけ、前記後面の２つの取っ手に紐状の部材をそれぞれ取り付け、前記それぞれの紐状の部材を患者の脇の下を通して前記前面の２つの取っ手とそれぞれ接合することで患者の首の周りに取り付けることができることを特徴とする治療用カラー。
【請求項２】
扇型で、熱可塑性合成樹脂製材で形成され、前記扇型の内周部に表面が綿素材からなるへりが取りつけられてなり、前記扇型の一の端部を他の端部に接合することで患者の首の周りに笠状に取り付けることができ、
前記へりに接合部材を配し、衣服の襟部分に接合できることを特徴とする治療用カラー。
【請求項３】
請求項１又は請求項２の治療用カラーにおいて、
患者の首の周りに取り付けられたさいに、前記扇型と水平面とのなす角度が左右側３０度ほど、前側２０度ほど、後側６０度ほどであることを特徴とする治療用カラー。
【請求項４】
請求項１、請求項２、請求項３のいずれか一項の治療用カラーにおいて、
前記扇型が透明な部材で形成されたことを特徴とする治療用カラー。
【請求項５】
請求項１、請求項２、請求項３、請求項４のいずれか一項の治療用カラーにおいて、
前記扇型に直径３ｍｍほどの空気穴を開けたことを特徴とする治療用カラー。
【請求項６】
襟部分に接合部材を配し、前記請求項２に記載の治療用カラーを接合できることを特徴とするカラー付き衣服。
【請求項７】
請求項６のカラー付き衣服において、
両脇の下の部位に各々一対の紐を取り付けたことを特徴とするカラー付き衣服。
【請求項８】
請求項２又は請求項６の治療用カラーおよびカラー付き衣服において、
前記へりと患者の首との間隔が１〜１．５ｃｍに保持されて取り付けられたことを特徴とする治療用カラーおよびカラー付き衣服。
【請求項９】
請求項２又は請求項８の治療用カラーにおいて、
互いに接合された大小２つの扇型の部材から形成され、前記大きな部材の内周部に衣服の襟部分に接合するためのへりが取り付けられたことにより、前記大きな部材を衣服に取り付けたまま前記小さな部材を着脱可能としたことを特徴とする治療用カラー。
【発明の詳細な説明】
【０００１】
【発明の属する技術分野】
本発明は、治療用器具に関し、特にアトピー性皮膚炎などの早期治癒を促進する治療用カラーおよびカラー付衣服に関する。
【０００２】
【従来の技術】
アトピー性皮膚炎とは大気汚染、食物汚染、ハウスダスト、ダニといった生活環境や、精神的、肉体的ストレスによる刺激、及び皮膚の抵抗力を含む体質等を原因とするアレルギー性疾患の一種である。その症状は皮膚に生ずる湿疹であり、特に顔や首周りの皮膚に生ずるものは強いむず痒さを伴う。大人だけでなく、乳幼児や子供にその症状が多く見られ近年急増している。
【０００３】
特に乳幼児や子供のアトピー性皮膚炎の悪化原因として、睡眠状態での掻きむしりがあげられる。これは、睡眠中の皮膚温上昇に伴って痒みが増すことにより、患者が無意識のうちに手指で患部を引っ掻いてしまうというものである。このことにより掻痒部に新たな皮膚の損傷を生じ、皮膚表面に常在する黄色ブドウ球菌などの細菌感染を引き起こすため、その炎症が更に痒みを誘発するという悪循環を招く。乳児には介護者や親が掻かないように指示しても言葉自体が理解できない。幼児の場合には言葉は理解できても、眠ってしまえば無意識に患部を掻きむしってしまうので指示しても無駄である。
【０００４】
この掻きむしり行為の対策用具として患者の手指を覆う手袋が知られている。この手袋は柔らかい綿などの布地で構成されており、上記の掻きむしり行為の際に患部を極力傷めないようにするものである。更に、二重の袋材によって手指を覆う構造の手袋もある（特開平９−５９８０９参照）。これらの発明は爪や指による直接の接触をさせないため、患部の損傷を幾分か和らげることができる。しかし、これらは布地ごしであっても手指が患部に触れることを許すため、掻きむしりによる悪循環を完全に断ち切ることはできない。したがって、その治療効果は満足のいくものではなかった。
【０００５】
なお、掻きむしりによる悪循環のメカニズムは以下の通りである。患者が患部を掻きむしることで皮膚状態の悪化を招き、角層のバリアー機能が低下して刺激因子の侵入が容易となる。そこに侵入した抗原が免疫異常を引き起こし、同時にアレルギー炎症反応を増強させる。そして、この炎症による皮膚状態の悪化がさらに皮膚の角層のバリアー機能を低下させる原因となり、悪循環が繰り返されるのである。この悪循環を完全に断ち切ることなしに、アトピー性皮膚炎を軽快させることは不可能といってよい。
【０００６】
【発明が解決しようとする課題】
アトピー性皮膚炎の治療で最も重要なことは、掻きむしりによる悪循環を完全に断ち切ることにある。そのためには手指と患部とを物理的に遮断して手指が患部に届かないようにすればよい。
【０００７】
本発明の課題は、患者の手が直接患部に触れることを物理的に遮断することで上記悪循環を完全に断ち切り、もって患部の炎症の悪化を防止し、症状の早期改善をもたらす治療用器具を提供することにある。
【０００８】
【課題を解決するための手段】
その課題を解決するための手段が請求項に対応して表現される次の記載中に現れる（）つきの数字は、請求項の記載事項が詳しく後述される実施の複数の形態のうちの少なくとも１つの形態の部材、工程、動作に対応することを示すが、本発明の解決手段がそれらの数字が示す実施の形態の部材に限定して解釈されるためのものではなく、その対応関係を明白にするためのものである。
【０００９】
本発明による治療用カラー（１）は、扇型の形状をなし、プラスチック、ポリエチレンなどの熱可塑性合成樹脂製材から形成され、その内周部には、表面が綿素材からなるへり（４）が取りつけられており、その端部（２）を他の端部（３）に接合することで患者の首の周りに笠状に取り付けることができ、後面に２つ、前面に２つの取っ手（１９ａ，１９ｂ，１９ｃ，１９ｄ）をつけ、後面の２つの取っ手（１９ａ，１９ｂ）に紐状の部材（２０）をそれぞれ取り付け、それらを患者の脇の下を通して前面の２つの取っ手（１９ｃ，１９ｄ）とそれぞれ接合することで、治療用カラー（１）を患者の首の周りに取り付けることができるものである。
【００１０】
また、本発明による治療用カラー（１）は、扇型の形状をなし、プラスチック、ポリエチレンなどの熱可塑性合成樹脂製材から形成され、その内周部には、表面が綿素材からなるへり（４）が取りつけられており、その端部（２）を他の端部（３）に接合することで患者の首の周りに笠状に取り付けることができ、内周部のへり（４）に接合部材（１６）を配したことで、衣服（１２）の襟部分（１４）に接合できるものである。
【００１１】
また、前記の治療用カラー（１）は、患者の首の周りに取り付けられたさいに水平面とのなす角度が左右側３０度ほど、前側２０度ほど、後側６０度ほどであることが望ましい。
【００１２】
また、前記の治療用カラー（１）は、透明な部材で形成されたものであることが望ましい。また、前記の治療用カラー（１）の扇型の部材に直径３ｍｍほどの空気穴（１０）を開けたものとしてもよい。
【００１５】
また、本発明によるカラー付き衣服（１２）は、襟部分（１４）に接合部材（１５）を配したことで、前記治療用カラー（１）を接合できることを特徴とするものである。ここで、衣服（１２）は、両脇の下の部位に各々一対の紐（１７ａと１７ｂ，１７ｃと１７ｄ）を取り付けたものであることが望ましい。
【００１６】
また、本発明による治療用カラー（１）およびカラー付き衣服（１２）は、カラー（１）のへり（４）と患者の首との距離が１〜１．５ｃｍとなるように保持することを特徴とするものである。
【００１７】
また、本発明による治療用カラーは、互いに接合された大小２つの扇型の部材から形成されてなり、大きな部材（２１）の内周部に衣服の襟部分（１４）に接合するためのへり（２２）が取り付けられたことにより、大きな部材（２１）を衣服（１２）に取り付けたまま小さな部材（２５）を着脱可能としたことを特徴とするものであってもよい。
【００１８】
【発明の実施の形態】
以下、本発明の治療用カラーおよびカラー付衣服の具体的な構成を図面に従って詳述する。
【００１９】
図１は本発明のカラー１の展開図である。図１に示すようにカラー１の形状は扇形である。カラー１の端部２には凹の止め具５が２個付加されている。カラー１のもう一方の端部３には凸の止め具６が２個ずつ３列、計６個付加されている。また、カラーの内周部にはヘリ４が接続されている。ヘリ４はカラー１を首の周囲に適度な間隔をもって保持するためのもので、その首に接する側の表面には綿１００％の素材を用いている。なお、へり４がカラー１の内周部のすべてにわたって接続されておらず一部途切れているのは、患者ののど部分に対する圧迫を防ぐための工夫である。
【００２０】
カラー１を巻いてその端部２をもう一方の端部３と重ねあわせ、前記止め具５，６を接合することにより、カラー１は電球の笠状の形状となる。図２にカラー１を患者の首の周りに巻いた様子を示す。なお、凸の止め具６が３列あるのは、患者の頚部の太さに合わせて巻き具合を３段階に調節可能とするためである。もちろん、これらの止め具は着脱可能な部材であれば何でも良く、たとえばホック、面ファスナー、紐、ベルトなどでもよい。面ファスナーであれば着脱がより容易であると共に、無段階のきめ細かい調節が可能となる。
【００２１】
カラー１のサイズは、さまざまな患者の頭囲、首周りに対応するため、Ｓサイズ、Ｍサイズ、Ｌサイズの３通りとした。Ｓサイズの大きさは、外径３８ｃｍほど、内径１５ｃｍほど、幅１１．５ｃｍほどである。重さは８０ｇほどである。また、Ｍサイズの大きさは、外径４４ｃｍほど、内径１８ｃｍほど、幅１３ｃｍほどである。重さは９０ｇほどである。また、Ｌサイズの大きさは、外径５４ｃｍほど、内径２３ｃｍほど、幅１５．５ｃｍほどである。重さは１２０ｇほどである。
【００２２】
このカラー１の幅は、患者の手を患部に届かせないために必要な長さである。この幅を十分に確保することで、カラー１が患者の顔のまわりに防護壁となって手が患部に届くことを物理的に許さないため、掻きむしり行為を完全に遮断できるのである。もちろん、患者の体格によってはこれ以外のサイズのものを用いてもよい。
【００２３】
カラー１の材質はプラスチック、ポリエチレンなどの熱可塑性合成樹脂材からなり、その厚さは１ｍｍほどである。この素材は柔軟性、弾力性が十分にあるため、患者の顔や首周りに優しくフィットする。また、丸めると自然に元に戻ろうとするため、常に内径が拡がる方向に力が作用することになり、へり４が首をしめつけることはない。また、軽量であるため患者の首に負担とならない。また、ヘリ４の表面を１００％綿製とすることにより、患者の皮膚への刺激を軽減することができる。
【００２４】
図２はカラー１を患者の首周りに装着して前面より見た場合の図である。図２に示すように、カラー１の左右側がなす角度は３０度ほどが望ましい。これは患者が手をのばしても顔まで至らず、顔に接触できないようにするために有効な角度である。
【００２５】
図３は同じくカラー１を患者の首周りに装着して側面より見た場合の図である。図３に示すように、カラー１の後面側がなす角度は６０度ほど、前面側がなす角度は２０度ほどが望ましい。この角度を保つことで顔とカラー１との間に適度な空間が生じるため、カラー１が顔面に接触することがなくなる。また、仰臥位に寝かせた時にも十分に呼吸の確保ができる。また、顔面付近が十分に開放されているため患者の表情がよく見え親も介護し易い。
【００２６】
また、カラー１を透明のものとすることにより、患者の視界を確保することができる。このことにより、患者は周りの様子が良く見えるため閉塞感や恐怖感に陥らないですみ、親の顔もよく見えるので安心できる。また、介護者も親も患者の表情や患部の状態を十分に観察できる。
【００２７】
図４はカラー１に装着するカバー７の平面図である。図に示す様にカバー７の形状はカラー１と同様の扇形だがその中心角はカラー１よりも小さくてもよい。カバー７は外周縁を縫い合わせた二重の綿布で形成され、カラー１をその裏表両面から包む形態になっている。カバー７の内周部はカラー１の内周部に一致している。カバー７の内周部の裏表両面には各々２ｃｍ幅の見返し部分８を持ち、各々その内部にゴム９が通してある。なお両端部は縫合せず、開いた状態となっている。なお、カバー７が覆うのはカラー１のすべてではなく、患者の髪があたる範囲だけであってもよい。
【００２８】
カバー７のサイズはカラー１と同様、Ｓサイズ、Ｍサイズ、Ｌサイズとした。これにより、カラー１のサイズに応じて適切なものを選ぶことができるため、カバー７を適度な緊張をもってカラー１上に展開することができ、シワやドレープの発生を未然に防ぐことができる。カバー７にシワやドレープが生じると顔や首周りへの摩擦が生じ、それが湿疹患部の症状悪化につながってゆく。したがって、カバー７が適度な緊張をもってカラー１上に張られていることは大切である。また、カバー７を装着する他の効果として、湿疹患部からの浸出液を吸収することがあげられる。更に、患者の後頭部や頭髪がカラー１と接する際の摩擦を和らげることができる。なお、カバー７の内周側にゴム９を通した構造としたことで、カバー７の装着操作が容易となっている。
【００２９】
図５はカラー１の全面に直径３ｍｍの空気穴１０を開けたことを示す図である。これにより、患者が寝返りをうって鼻や口がカラー１に直に接した時などにも十分な呼吸を確保することができる。なお、穴の直径を３ｍｍとした理由は、患者の指が誤って空気穴に入り込まないための工夫である。これよりも大きいと穴に指が入り込み、指先を切るなどの怪我を生じる可能性があるからである。もちろん、これらの空気穴１０を開けるかわりにカラー１を通気性のある素材で形成しても同様の効果が得られる。
【００３０】
図６はカラー１の外縁を綿製テープ１１で覆い保護したことを示す図である。これにより、患者および患者に接する人が手を切傷しないで済む。また、外縁を綿製テープ１１で覆うことのかわりにカラー１の外縁を丸く研磨加工しても同様の効果が得られる。
【００３１】
図７は本発明の衣服１２の正面図である。衣服１２はカラー１を患者の頚部周囲に取り付けるための適切な土台となる。以下に図面に従って詳しく説明する。
【００３２】
衣服１２は前あき型のラグランスリーブ型であり、その前面には上下にファスナー１３が取り付けられている。そしてその襟の見返し部分１４には凹の止め具１５が取り付けられている。一方、図８に示すように、カラー１の内周部にあるヘリ４には凸の止め具１６が取り付けられている。これらの止め具をお互いに接合することにより、カラー１を患者の首の周囲に適度な間隔をもって取り付けることができる。ここでいう適度な間隔とは１〜１．５ｃｍほどの空隙のことをいう。その詳しい様子を図９に示す。この間隔を保持することにより、患者の安全な呼吸を確保することができ、しかも患者の指の侵入を阻止することができるのである。なお、患者の年齢、体格による首の太さの個人差は、適切なサイズのカラー１を選択することで吸収する。
【００３３】
また、カラー１を衣服１２に止め具１５、１６をもって接合することにより、カラー１が患者の首の周りに回転することを防止できる。このことにより、患部に対して不必要な刺激を発生しないですむ。
【００３４】
また、カラー１と衣服１２を一体とせず着脱可能にしたことで各々の自由度が増し、衣服１２の洗濯も容易となる。もちろん、これらの止め具は着脱可能な部材であれば何でも良く、たとえばホック、面ファスナー、紐、ファスナーなどでもよい。面ファスナーであればカラー１と衣服１２との着脱がより容易となる。
【００３５】
図１０は衣服１２にカラー１を装着した場合の斜視図である。衣服１２の両脇下部には長さ１７ｃｍほどの紐１７ａと１７ｂ、１７ｃと１７ｄとが、それぞれ１５ｃｍほどの間隔を開けて２本ずつ取り付けられている。これらの紐１７ａと１７ｂ、１７ｃと１７ｄとを両脇の下で縛ることで衣服１２の首周りとの間の布地に緊張を生じ、首周り部分のたるみの発生を抑制する。これによりカラー１が移動した際の頚部への圧迫を未然に防ぐことができる。また、患者の体格差によって生じる衣服１２の体幹部のたるみを調節することもできる。
【００３６】
なお、この治療用カラー１と衣服１２の襟部分とを縫合し、衣服と一体としてもよい。この場合には、両脇の下の紐１７ａと１７ｂ、１７ｃと１７ｄを使用することなく首周りへのくい込みを防止することができるため、十分に安全な呼吸を確保できる。
【００３７】
衣服１２の開閉手段はファスナー１３以外にボタン、ホック、面ファスナー、クリップ、紐等でも良いが、ファスナーが介護操作上簡便である。また、患者は通常インナーとして肌着、寝間着を着用しているため、衣服１２はそれらの上から着用することになる。したがって衣服１２には大きさにゆとりのあるラグランスリーブ型が最適である。なお、衣服１２の材質は患者の皮膚への刺激が少ない１００％綿製のものとすることが望ましい。
【００３８】
衣服１２にはラグランスリーブ型だけでなく、上下衣が独立したパジャマ、襟元下を重ね合わせる寝間着状のもの、頭側から被って着用する袖付きのもの、上下衣が一体となったロムパース、寝間着代わりに使用するものなど、全ての形態の衣服が対象となる。いずれにしてもカラー１を首の周囲に適度な間隔をもって取り付けることができ、患者の体にゆったりとしたものであればどのようなものであってもかまわない。
【００３９】
図１１は衣服１２の襟ぐりの外側にフード１８が縫着された状態を示す外見図である。フード１８の大きさは幅２８ｃｍ、深さ３７ｃｍほどであり、外縁の１５ｃｍほどの折り返し部分が二重構造となっている。フード１８の紐は６０ｃｍほどの長さである。フードの大きさはカラー１のＳサイズ、Ｍサイズ、Ｌサイズいずれにも対応できるものとなっている。もちろん、フード１８は衣服１２から着脱可能なものとしても良い。
【００４０】
図１２は衣服１２にカラー１を装着し、その外側をフード１８で覆った状態を示す外見図である。このようにすることにより、患者の外出時にカラー１の奇異な外見を隠すことができ、親の羞恥心を和らげることができる。
【００４１】
なお、カラー１は、首の周囲に適度な間隔をもって保持できるのであれば、衣服１２に接合しなくてもかまわない。その詳しいようすを図１３に示す。カラー１に４箇所の取っ手１９ａ、１９ｂ、１９ｃ、１９ｄをつけ、この後面の取っ手１９ａ、１９ｂに襷がけとしたゴムベルト２０を取り付ける。このゴムベルト２０を患者の後背面より脇の下を通して、前面の取っ手１９ｃ、１９ｄに取り付ける。このようにすることによって、カラー１を首の周囲に適度な間隔をもって取り付けることができる。これにより、患者の衣服を加工することなしに、かきむしり防止という当初の目的を達成することができる。
【００４２】
なお、カラー１は一つの部材ではなく、図１４に示すように、大小２つの扇型の部材から形成されたものであってもよい。そのようすを図１４に従って詳しく説明する。大きな部材２１の内周部にはへり２２が取り付けられている。そしてへり２２には衣服１２の襟部１４にある凹の止め具１５に接合するための凸の止め具２３が取り付けられている。また、大きな部材２１の片側の端部には凸の止め具２４が２個、もう片方の端部には２個ずつ３列計６個取り付けられている。
【００４３】
一方、小さな部材２５の両方の端部には、大きな部材２１の凸の止め具２４に対応する位置に凹の止め具２６が２個ずつ取り付けられている。もちろん、これらの止め具は着脱可能な部材であれば何でも良く、たとえばホック、面ファスナー、紐、ベルトなどでもよい。面ファスナーであれば各部材の着脱がより容易であると共に、無段階のきめ細かい調節が可能となる。
【００４４】
大きな部材２１、小さな部材２５の材質は、カラー１と同様に、プラスチック、ポリエチレンなどの熱可塑性合成樹脂材からなり、その厚さは１ｍｍほどである。この素材は柔軟性、弾力性が十分にあるため、患者の顔や首周りに優しくフィットする。また、丸めると自然に元に戻ろうとするため、常に内径が拡がる方向に力が作用することになり、へり２２が首をしめつけることはない。また、軽量であるため患者の首に負担とならない。また、ヘリ２２の表面を１００％綿製とすることにより、患者の皮膚への刺激を軽減することができる。
【００４５】
患者に衣服１２を着用させ、大きな部材２１の凸の止め具２３を衣服１２の凹の止め具１５にそれぞれ接合し、大きな部材２１の凸の止め具２４を小さな部材２５の凹の止め具２６にそれぞれ接合することにより、大きな部材２１および小さな部材２５は首の周りに電球の笠状に取り付けられて、治療用カラー１と同様に掻きむしり防止の効果を奏する。さらに、その状態で小さな部材２５を大きな部材２１から取り外すことにより、患者の顔の正面部分を開放することができる。その詳しいようすを図１５に示す。このような構成とすることにより、食事などの介護作業が容易となるという特別の効果を奏することができる。
【００４６】
【臨床実験】
本発明のカラー付衣服を昼夜着用した症例において臨床実験を行なった。
【００４７】
【対象被験者】
皮膚科の医師により「アトピー性皮膚炎」と診断され、かつ、加療の有無に拘わらず、掻痒を伴う皮膚症状を有する患者６名（年齢生後３カ月〜生後１２カ月）を被験者とした。
【００４８】
【調査期間】
使用開始日から４週間。ただし、副作用的な弊害や急激な悪化がみられた者は直ちに使用を中止する事とした。
【００４９】
【皮膚症状の改善度について】
調査開始にあたり、保護者には調査報告用紙を渡し、アトピー性皮膚炎に伴う皮膚症状の情況について記入してもらった。
【００５０】
調査開始段階での皮膚症状と、調査開始４週間後の皮膚症状について「極めて改善」、「改善」、「不変」、「悪化」、「極めて悪化」の５段階で評定してもらった。以上については、本調査の趣旨を保護者に十分説明した上で、保護者の同意のもとに行われた。
【００５１】
上記臨床実験の結果、６名の被験者すべての症例において、「極めて改善」との報告がなされた。
【００５２】
【発明の効果】
本発明により、患者の手が直接患部に触れることを物理的に遮断できるため、患部への掻きむしり行為が完全に阻止される。その結果、アトピーの症状を早期に改善できるようになる。
【００５３】
また、本発明を複数の部材からなるものとすることにより、大きな部材を衣服に取り付けたまま患者の顔の正面部分を開放することができる。これにより、食事などの介護作業が容易となるという特別の効果を奏することができる。
【図面の簡単な説明】
【図１】図１は、本発明の治療用カラーを示した展開図である。
【図２】図２は、本発明の治療用カラーの角度を示した前面図である。
【図３】図３は、本発明の治療用カラーの角度を示した側面図である。
【図４】図４は、本発明の治療用カラーのカバーを示した上面図である。
【図５】図５は、本発明の治療用カラーの空気穴を示した上面図である。
【図６】図６は、本発明の治療用カラーの外縁の綿テープを示した上面図である。
【図７】図７は、本発明の衣服を示した正面図である。
【図８】図８は、本発明の治療用カラーの止め具を示した上面図である。
【図９】図９は、本発明の治療用カラーと衣服との接合を示す詳細図である。
【図１０】図１０は、本発明の治療用カラー付衣服を示した斜視図である。
【図１１】図１１は、本発明の衣服のフードを衣服に縫着した前面図である。
【図１２】図１２は、本発明の治療用カラー付衣服のフードを装着した状態を示した前面図である。
【図１３】図１３は、本発明の治療用カラーの応用を示した前面図である。
【図１４】図１４は、本発明の他の治療用カラーを示した展開図である。
【図１５】図１５は、本発明の他の治療用カラー付衣服を示した斜視図である。
【符号の説明】
１…カラー
２…端部
３…もう一方の端部
４…ヘリ
５…凹の止め具
６…凸の止め具
７…カバー
８…カバーの見返し部分
９…ゴム
１０…空気穴
１１…綿製テープ
１２…衣服
１３…ファスナー
１４…襟の見返し部分
１５…凹の止め具
１６…凸の止め具
１７ａ、１７ｂ、１７ｃ、１７ｄ…紐
１８…フード
１９ａ、１９ｂ、１９ｃ、１９ｄ…取っ手
２０…ゴムベルト
２１…大きな部材
２２…へり
２３…凸の止め具
２４…凸の止め具
２５…小さな部材
２６…凹の止め具
【図１】
0003646261.tif 000002
【図２】
0003646261.tif 000003
【図３】
0003646261.tif 000004
【図４】
0003646261.tif 000005
【図５】
0003646261.tif 000006
【図６】
0003646261.tif 000007
【図７】
0003646261.tif 000008
【図８】
0003646261.tif 000009
【図９】
0003646261.tif 000010
【図１０】
0003646261.tif 000011
【図１１】
0003646261.tif 000012
【図１２】
0003646261.tif 000013
【図１３】
0003646261.tif 000014
【図１４】
0003646261.tif 000015
【図１５】
0003646261.tif 000016